(57)【要約】【課題】警戒区域内に効率よく設置ができ、警戒区域内に接近した目標体を音声や映像等により探知することのできる目標探知装置を提供すること。【解決手段】複数の携帯電話２を飛翔体４に収納し、当該飛翔体により警戒区域Ａに収納した携帯電話２を散布し、散布した携帯電話からの音声情報等を情報解析機６が受信して、当該情報に基づき警戒区域Ａへの目標体の接近を探知する。【選択図】図１
2012007801.tif 000002
【特許請求の範囲】
【請求項１】
音声通話機能を備えた携帯電話端末と、
前記携帯電話端末を複数収納し、収納した携帯電話端末を目的の区域に散布する飛翔体と、
前記携帯電話端末の音声通話機能により検出した音声を受信し、受信した音声を解析し前記区域に接近する目標体を探知する情報解析手段と、を備えたことを特徴とする目標接近探知装置。
【請求項２】
前記携帯電話端末は、動画または静止画を撮影し前記情報解析手段に送信するカメラ機能を有しており、
前記情報解析手段は、前記携帯電話端末のカメラ機能により送信された動画または静止画を受信し、受信した動画または静止画を解析して前記区域に接近する目標体を探知することを特徴とする請求項１記載の目標接近探知装置。
【請求項３】
前記携帯電話は、太陽電池を搭載し、当該太陽電池により得た電力による充電が可能であることを特徴とする請求項１または２記載の目標接近探知装置。
【発明の詳細な説明】
【技術分野】
【０００１】
本発明は、所定の区域に接近する目標体を探知する目標接近探知装置に関する。
【背景技術】
【０００２】
従来、警戒区域への車両や航空機等の目標体の接近を探知するため、当該目標体の接近を探知するセンサ類を搭載した目標探知装置を当該警戒区域に設置していた。
当該目標探知装置として、例えば、音響センサを備え、当該音響センサにより検知された音を分析して、ヘリコプタ音と車両音との識別を行う判別装置が開発されている（特許文献１参照）。
【先行技術文献】
【特許文献】
【０００３】
【特許文献１】特開平９−１０１１９７号
【発明の概要】
【発明が解決しようとする課題】
【０００４】
しかしながら、上記特許文献１の技術では、音響センサを搭載した目標探知装置を警戒区域へ予め設置する必要があった。目標探知装置は、音響センサの他にも各種センサを搭載している場合もあり、高価なものであったり、センサ類を作動させるためのバッテリ等も搭載しており大型であったり、指向性のあるセンサについては向きを設定する必要がある等して、目標探知装置の設置は人員が１つ１つ当該警戒区域へと直接運搬して設置していた。このように人員が警戒区域で作業を行うのは危険を伴う上、広域な警戒区域へ設置する場合には効率が悪いという問題があった。
【０００５】
本発明はこのような問題を解決するためになされたもので、その目的とするところは、警戒区域内に効率よく設置ができ、警戒区域内に接近した目標体を音声や映像等により探知することのできる目標探知装置を提供することにある。
【課題を解決するための手段】
【０００６】
上記した目的を達成するために、請求項１の目標接近探知装置では、音声通話機能を備えた携帯電話端末と、前記携帯電話端末を複数収納し、収納した携帯電話端末を目的とする区域に散布する飛翔体と、前記携帯電話端末の音声通話機能により検出した音声を受信し、受信した音声を解析し前記区域に接近する目標体を探知する情報解析手段と、を備えたことを特徴としている。
【０００７】
請求項２の目標接近探知装置では、請求項１において、前記携帯電話端末は、動画または静止画を撮影し前記情報解析手段に送信するカメラ機能を有しており、前記情報解析手段は、前記携帯電話端末のカメラ機能により送信された動画または静止画を受信し、受信した動画または静止画を解析して前記区域に接近する目標体を探知することを特徴としている。
【０００８】
請求項３の目標接近探知装置では、請求項１または２において、前記携帯電話は、太陽電池を搭載し、当該太陽電池により得た電力による充電が可能であることを特徴としている。
【発明の効果】
【０００９】
上記手段を用いる本発明の目標接近探知装置によれば、特別なセンサ等を搭載した探知機とは異なり、元々音声通話機能等を備えている携帯電話を所定の区域に飛翔体を用いて複数に散布し、これらの携帯電話からの情報を情報解析手段で受信して解析することで、容易に目標体の接近を探知することができる。
当該携帯電話は、小型軽量であり、安価で入手可能であることから、大量に散布することができ、大量の携帯電話を飛翔体により散布することで、遠距離において一度に広域に散布することができる。当該携帯電話はその全てを正確に設置するなどの作業を行う必要がなく、設置作業の効率を向上させることができる。そして、飛翔体により散布することで、遠距離であっても一度に広域的に携帯電話を設置することができ、設置作業に際して人員が直接警戒区域に入る必要等もなく安全で効率的である。また小型であることで、目標体から発見され難いという利点もある。
【図面の簡単な説明】
【００１０】
【図１】本発明の実施形態に係る目標接近探知装置における携帯電話散布時の概略図である。
【図２】本発明の実施形態に係る目標接近探知装置における携帯電話散布後の概略図である。
【発明を実施するための形態】
【００１１】
以下、本発明の実施形態を図面に基づき説明する。
図１には本発明の実施形態に係る目標接近探知装置の配置時の概略図が示されており、以下同図に基づき説明する。
目標探知装置は、主として、複数の携帯電話２（携帯電話端末）と、これらの携帯電話２を警戒区域Ａに散布する飛翔体４と、散布された携帯電話２からの情報を受信して当該情報に基づき目標体の接近の解析を行う情報解析機６から構成されている。
【００１２】
詳しくは、携帯電話２は、通話機能のためのマイク及びスピーカを搭載し、動画及び静止画を撮影するカメラ、太陽光による充電を行う太陽電池等を搭載し、防水機構が施された携帯電話である。当該携帯電話２は一般に市販されているようなテレビ電話機能付き、太陽電池付き、及び防水機構を備えた携帯電話である。
飛翔体４は、弾頭部分に携帯電話２を複数、例えば１０００個程度、収納可能な収納部４ａを備え、発射台８から目標地点に向かって飛翔するものである。当該飛翔体４は目標地点である警戒区域Ａに到達する前に収納部４ａが分解し、収納されている各携帯電話２を、警戒区域Ａに散布することが可能である。
【００１３】
また、情報解析機６は、警戒区域Ａと離れた位置に設置された情報管理局１０内に設けられている。情報解析機６は散布された各携帯電話２からの音声情報、動画情報、及び静止画情報等を受信するとともに、情報解析機６から携帯電話２へ信号等を送り制御することも可能である。そして、当該情報解析機６は、携帯電話２から受信した情報に基づき目標体の接近を解析するものである。
【００１４】
以下、本発明の実施形態に係る目標接近探知装置の作用について説明する。
ここで、図２には、本発明の実施形態に係る目標接近探知装置の配置後の概略図が示されており、上記図１に加え当該図２を参照しつつ目標接近探知装置の作用について説明する。
まず、図１に示すように、複数の携帯電話２を収納部４ａに収納した飛翔体４を警戒区域Ａに向けて発射台８より発射する。なお、本実施形態では、携帯電話２は収納部４ａに収納する時点において起動させておく。発射台８より発射した飛翔体４は警戒区域Ａに到達する直前の、警戒区域Ａの上空付近に到達したときに収納部４ａが分離し、内部に収納された携帯電話２が警戒区域Ａに散布される。
【００１５】
続いて図２に示すように、携帯電話２が散布された後、警戒区域Ａでの目標体の接近探知を開始する際には、情報管理局１０の情報解析機６から各携帯電話２へと通話機能及びカメラ機能を起動するよう制御する。これは例えば各携帯電話２へテレビ電話により発信し、携帯電話２が自動で受話状態になるよう設定するものとする。
そして、通話機能及びカメラ機能を起動させた携帯電話２からの音声情報、動画情報及び静止画情報は情報解析機６に送信され、情報解析機６はこれらの各情報を解析する。具体的には、当該解析は、携帯電話２から受信した音声の周波数帯の音圧を分析し、目標とする移動体が発する音と照合する。また、携帯電話２から受信した動画または静止画を分析し、目標とする移動体の形状と照合する。各携帯電話２は無作為に散布するためマイク及びカメラの向きはそれぞれ異なっているが、大量に散布することでいずれかの携帯電話２より受信した音声または映像が目標体の音または形状と一致すれば目標体が警戒区域Ａに接近したことを判定することができる。
【００１６】
例えば図２に示すように、目標体としての車両１２やヘリコプタ１４等の航空機が警戒区域Ａに接近すると、当該車両１２やヘリコプタ１４に近い携帯電話２のマイクにより車両１２の走行音やヘリコプタ１４のプロペラ音等が検知されて情報解析機６がこれを受信して解析が行われ、当該車両１２及びヘリコプタの１４の接近が探知される。また、携帯電話２のカメラ機能により当該携帯電話２の周辺の映像が動画または静止画で撮影され、当該映像が情報解析機６へと送信される。
【００１７】
また、当該携帯電話２は太陽電池を搭載していることで、散布後においても太陽光によりバッテリが充電され、電源が確保される。さらに、携帯電話２は防水機構であることで、雨天等でも探知作業が可能である。
以上のように、本発明に係る目標接近探知装置では、特別な音響センサ等を搭載した探知機とは異なり、元々音声通話機能及びカメラ機能を備えている携帯電話２を警戒区域Ａに飛翔体４を用いて大量に散布し、これらの携帯電話２からの情報を情報解析機６で受信して解析することで、容易に目標体の接近を探知することができる。
【００１８】
当該携帯電話２は、小型軽量であり、安価で入手可能であることから、大量に散布することができ、大量の携帯電話２を飛翔体４により散布することで、遠距離において一度に広域に散布することができる。当該携帯電話２はその全てを正確に設置するなどの作業を行う必要がなく、設置作業の効率を向上させることができる。そして、飛翔体４により散布することで、遠距離であっても一度に広域的に携帯電話２を設置することができ、設置作業に際して人員が直接警戒区域Ａに入る必要等もなく安全で効率的である。また小型であることで、目標体から発見され難いという利点もある。
【００１９】
さらに、太陽充電機能により自動で電源を確保でき、防水機構も施されていることで、交換やメンテナンスを行わなくとも長期に亘って使用が可能である。
以上で本発明に係る目標接近探知装置の実施形態についての説明を終えるが、実施形態は上記実施形態に限られるものではない。
上記実施形態では、携帯電話２を飛翔体４に収納する前から起動させているが、電源については、例えば散布後に情報解析機からの所定の信号を受けたときや、所定の時間となったとき起動する等、所定の条件を満たしたときに自動的に起動する機能を携帯電話に設けても構わない。
【００２０】
また上記実施形態では、携帯電話２を警戒区域Ａに無作為に散布しているが、散布された際に携帯電話のスピーカ及びカメラが地面側とならないような、姿勢制御手段を設けても構わない。例えばスピーカ及びカメラが地面側とならない外形形状としたり、一対の携帯電話をマイク及びカメラが設けられている面とは反対側の面で重ね合わせて、いずれかの面のマイク及びカメラが地面側以外の方向を指向するようにするものとしても構わない。
【符号の説明】
【００２１】
２  携帯電話（携帯電話端末）
４  飛翔体
４ａ  収納部
６  情報解析機（情報解析手段）
８  発射台
１０  情報管理局
１２  車両（目標体）
１４  ヘリコプタ（目標体）
【図１】
2012007801.tif 000003
【図２】
2012007801.tif 000004